(57)【特許請求の範囲】
【請求項１】
盛土構造物に隣接構築される構造物の構築方法において、
前記構造物を前記盛土構造物から所定の空間部を設けて離間構築するとともに、前記盛土構造物の天端と前記構造物との間のいずれか一方に、水平移動許容構造を介在させて、前記空間部を覆う床版を渡設することを特徴とする盛土構造物に隣接構築される構造物の側圧低減方法。
【請求項２】
前記盛土構造物は、構築しようとする盛土構造物の端部にプレキャストパネルを組立て擁壁を形成する工程、
前記擁壁内に網目状補強材を介在させて層状に盛土層を形成する工程、
前記擁壁の前記プレキャストパネル間に貫通設置されたタイロッドアンカーを緊張して前記プレキャストパネル間を緊結させる工程で構築することを特徴とする請求項１記載の盛土構造物に隣接構築される構造物の側圧低減方法。
【請求項３】
前記盛土層の形成工程は、前記プレキャストパネルの１段分を形成する毎に行われ、かつ、前記網目状補強材の端部を、上下方向に隣接する前記プレキャストパネルとの間に挟持させることを特徴とする請求項２記載の盛土構造物に隣接構築される構造物の側圧低減方法。
【発明の詳細な説明】
【０００１】
【発明の属する技術分野】
この発明は、盛土構造物に隣接構築される構造物の側圧低減方法に関するものである。
【０００２】
【従来の技術】
橋台などの橋梁下部構造物を背面側が盛土地形となっている個所に、これを隣接構築する際には、背面側の盛土からの土圧や水圧などの側圧力を負担させる必要があるので、構造物には、これに見合った耐力が要求される。
【０００３】
このような側圧力を低減する方法として、例えば、図２に示すように、盛土１と構造物２との間に、発泡スチロールや発泡モルタルなどの軽量盛土材３を介在させる工法が知られている。
【０００４】
この工法によれば、軽量盛土材３自体の重量が小さいので、軽量盛土材３を介在させることによる構造物２に直接作用する側圧力が低減される。
【０００５】
しかしながら、このような従来の側圧力の低減方法には、以下に説明する技術的な課題があった。
【０００６】
【発明が解決しようとする課題】
すなわち、図２に示した側圧力の低減方法では、構造物２に伝達される側圧力を低減することができるものの、その一部は、構造物２に伝達される。このため、背面側の盛土１の高さが高くなると、構造物２に作用する側圧力もこれに伴って増大し、構造物２の耐力は、これに対抗させるために必要以上に確保することになり、過大設計となり経済性に欠ける。
【０００７】
また、軽量盛土材３を用いると、常時の側圧力は、低減されるが、地震時などの水平力の低減は、側圧力ほど低減されず、水平力に対しては、十分な低減効果が得られない。
【０００８】
さらに、軽量盛土材３は、土砂に比べて割高であり、発泡モルタルの場合には、養生条件などの違いによって品質にバラツキが生じ、施工管理が難しいという問題もあった。
【０００９】
本発明は、このような従来の問題点に鑑みてなされたものであって、その目的とするところは、施工管理が容易で、構造物の過大設計と水平力の伝達とを回避することができる盛土構造物に隣接構築される構造物の側圧低減方法を提供することにある。
【００１０】
【課題を解決するための手段】
上記目的を達成するために、本発明は、盛土構造物に隣接構築される構造物の構築方法において、前記構造物を前記盛土構造物から所定の空間部を設けて離間構築するとともに、前記盛土構造物の天端と前記構造物との間のいずれか一方に、水平移動許容構造を介在させて、前記空間部を覆う床版を渡設するようにした。
このように構成した側圧低減方法では、構造物は、盛土構造物から所定の空間部を設けて離間構築するだけなので、施工管理が難しくなることがなく、盛土構造物側からの側圧が構造物側に伝達されることがない。
また、盛土構造物の天端と構造物との間のいずれか一方に、水平移動許容構造を介在させて、空間部を覆う床版を渡設しているので、地震時などに発生する水平力が、盛土構造物から構造物側に伝達されることもない。
前記盛土構造物は、構築しようとする盛土構造物の端部にプレキャストパネルを組立て擁壁を形成する工程、前記擁壁内に網目状補強材を介在させて層状に盛土層を形成する工程、前記擁壁の前記プレキャストパネル間に貫通設置されたタイロッドアンカーを緊張して前記プレキャストパネル間を緊結させる工程で構築することができる。
このように構成した盛土構造物では、プレキャストパネルを組合せた擁壁は、緊張力が導入されたタイロッドアンカーで緊結されているので、大きな水平力が作用した場合にも移動することがなく、安定性および自立性が増す。
また、プレキャストパネル間に貫通設置されたタイロッドアンカーを緊張して、プレキャストパネル間を緊結させるので、プレキャストパネルの圧縮耐力が増し、パネルを大形状にすることができる。
前記盛土層の形成工程は、前記プレキャストパネルの１段分を形成する毎に行われ、かつ、前記網目状補強材の端部を、上下方向に隣接する前記プレキャストパネルとの間に挟持させることができる。
この構成を採用すると、網目状補強材の外周がプレキャストパネル間に挟持固定されるので、補強材の張力を盛土層の締め固めに有効に活用することができる。
【００１１】
【発明の実施の形態】
以下、本発明の好適な実施の形態について、添付図面に基づいて詳細に説明する。図１は、本発明にかかる盛土構造物に隣接構築される構造物の側圧低減方法の一実施例を示している。
【００１２】
同図に示した低減方法は、盛土構造物１０に隣接構築される橋台などの構造物１１に本発明を適用した場合である。盛土構造物１０は、擁壁１２と、タイロッドアンカー１４と、盛土層１６と、網目状補強材１８とを有している。
【００１３】
擁壁１２は、複数のプレキャストパネル１２ａを上下方向に組合せたものであって、構築しようとする盛土構造物１０の端部に、所定の傾斜角度で設けられている。
【００１４】
この実施例では、プレキャストパネル１２ａは、平板状に形成され、複数を上下方向に組合せているが、各プレキャストパネル１２ａの左右方向は、単に接合させるだけであってもよいし、ボルトナットなどで、相対的な上下移動が可能な状態で相互に連結してもよい。
【００１５】
各プレキャストパネル１２ａには、これらを上下方向に組合せた際に、相互に連通する挿通孔１２ｂが上下方向に貫通形成されているとともに、最上段に配置されるプレキャストパネル１２ａの上端には、凹部１２ｃが設けられている。
【００１６】
タイロッドアンカー１４は、その全長に亙ってネジが周設されたネジロッド１４ａと、一対の上，下定着プレート１４ｂ，１４ｃと、一対のナット１４ｄ，１４ｅとから構成されている。
【００１７】
ネジロッド１４ａの下端側は、下定着プレート１４ｃを介在させて、ナット１４ｅを螺着することにより最下段のプレキャストパネル１２ａの下端面に固定されている。
【００１８】
また、ネジロッド１４ａの上端側は、凹部１２ｃ内に上定着プレート１４ｂを挿入して、ナット１４ｄを螺着することにより、最上段のプレキャストパネル１２ａの上端面に固定されている。
【００１９】
各ネジロッド１４ａを定着する際には、ネジロッド１４ａに緊張力が導入されるようにナット１４ｄを締め付ける。各ネジロッド１４ａをこのようにして定着固定すると、上下方向に組立られたプレキャストパネル１２ａ間は、緊張力に対応したプレストレス力が加えられた状態で緊結される。
【００２０】
なお、ネジロッド１４ａの下端側の定着部は、図１に示したように、最下段のプレキャストパネル１２ａに定着することだけでなく、例えば、最下段のプレキャストパネル１２ａの下部の地盤中にモルタルなどの定着材を用いて定着することもできる。
【００２１】
盛土層１６は、多段状に積層されていて、各の盛土層１６の上端側には、網目状の補強材１８が介在させられている。
【００２２】
この網目状の補強材１８は、ジオグリットと呼ばれるものであって、本実施例の場合には、層状に形成された盛土層１６上にそれぞれ設けられた補強材１８の設置位置が、プレキャストパネル１２ａの一段分の高さとほぼ一致していて、各補強材１８の外縁は、上下方向に隣接設置されるプレキャストパネル１２ａ間に挟持固定されている。
【００２３】
次に、上記構成の盛土構造物１０の構築方法について説明する。盛土構造物１０を構築する際には、まず、構築しょうとする盛土構造物１０の端部に擁壁１２が形成される。
【００２４】
本実施例の場合には、盛土構造物１０の構築予定個所の地盤が若干掘り下げられて、最下段のプレキャストパネル１２ａが設置される。このプレキャストバネル１２ａを設置する際には、下端にナット１４ｅと下定着プレート１４ｃを装着したネジロッド１４ａが、挿通孔１２ｂ内に予め挿入される。
【００２５】
最下段のプレキャストパネル１２ａの設置が終了すると、第１層目の盛土層１６が形成される。盛土層１６を形成する際には、盛土材をまきだした後に、これを敷き均し、さらに締め固めが行われ、締め固められた盛土層１６の上部に網目状補強材１８が覆設される。
【００２６】
この場合の盛土材のまきだし量は、その後の締め固めによる沈下を考慮して決定される。
【００２７】
次に、最下段のプレキャストパネル１２ａ上に、二段目のプレキャストパネル１２ａが積層載置される。この積み上げに際しては、ネジロッド１４ａを挿通孔１２ｂ内に挿入することで、位置決めガイドとして用いることができる。
【００２８】
このようにしてパネル１２ａを上下方向に組立てると、積層載置作業が簡単に行え、かつ、正確に積み上げることができる。
【００２９】
この二段目のプレキャストパネル１２ａの積層載置の際には、盛土層１６上に覆設されている補強材１８の外縁を、最下段のプレキャストパネルと１２ａの上端面と二段目のプレキャストパネル１２ａの下端面との間に挟持させる。
【００３０】
二段目のプレキャストパネル１２ａが組立てられると、その内部に２層目の盛土層１６を同様に形成し、その上面に補強材１８を覆設する。この場合、ネジロッド１４ａに上定着プレート１４ｂを仮装着し、ナット１４ｄを螺着して締め付けて、最下段と二段目のプレキャストパネル１２ａを緊結すると、盛土層１６を形成する際の締め固めときなどに、パネル１２ａ間のズレなどを防止することができる。
【００３１】
なお、このようなプレキャストパネル１２ａ間の緊結は、一段分のプレキャストパネル１２ａを載置する毎に行うことができ、対応する段に盛土層１６を形成した後には、この緊結状態を解除する。
【００３２】
このような作業を順次繰り返し、プレキャストパネル１２ａを所定段数だけ積み上げで、擁壁１２が形成されると、盛土構造物１０の構築が完了する（図１参照）。
【００３３】
このような盛土構造物１０では、プレキャストパネル１２ａを組合せた擁壁１２は、緊張力が導入されたタイロッドアンカー１４で緊結されているので、大きな水平力が作用した場合にも移動することがなく、自立性と安定性が増す。
【００３４】
また、上記構成の盛土構造物１０においては、プレキャストパネル１２ａ間に貫通設置されたタイロッドアンカー１４を緊張して、プレキャストパネル１２ａ間を緊結させるので、プレキャストパネル１２ａの圧縮耐力が増し、パネルを大形状にすることができ、パネル１２ａ大形状にすることで設置作業の能率が向上する。
【００３５】
また、本実施例の場合には、盛土層１６の形成工程は、プレキャストパネル１２ａの１段分を形成する毎に行われ、かつ、網目状補強材１８の端部が、上下方向に隣接するプレキャストパネル１２ａ間に挟持固定される。
【００３６】
このようにすると、外縁が挟持固定された補強材１８には、その張力に伴い、盛土層１６を下方に押圧する力が作用し、補強材１８の張力を盛土層１６の締め固めに有効に活用することができる。
【００３７】
構造物１１は、盛土構造物１０の構築と相前後して構築される。構造物１１は、盛土構造物１０の擁壁１２から所定の空間部２０を設けて、離間構築される。
【００３８】
構造物１１の構築が終了すると、空間部２０の下端に水路２２が形成され、この水路２２内には、盛土構造物１０から排出される水が集められ、集められた水は、図外のポンプにより外部に取出される。
【００３９】
盛土構造物１１から排出された水をこのようにして取出すと、盛土構造物１０の水圧を低減させることができる。
【００４０】
また、構造物１１の構築が終了すると、盛土構造物１０と構造物１１との間に形成された空間部２０の上端に床版２４が渡設される。床版２４は、例えば、ＲＣ構造のプレキャストパネルから構成されている。
【００４１】
床版２４の一端側は、盛土構造物１０の擁壁１２の上端に固設され、他端側は、構造物１１の側面から離れた位置にあって、水平移動許容構造２６を介在させて、構造物１１の側面に突設されたブラケット２８により支持されている。
【００４２】
この実施例の水平移動許容構造２６は、床版２４の下面に固設された滑り板２６ａと、プラケット２８の上面に固設された滑り板２６ｂとから構成され、滑り板２６ａ，２６ｂが対面するように配置されている。
【００４３】
このような滑り板２６ａ，２６ｂを用いると、地震などの水平力が作用した際に、床版２４とブラケット２８とが、前後左右方向に移動し、床版２４とブラケット２８との間の水平力の伝達がなくなる。
【００４４】
なお、この水平移動許容構造２６は、構造物１１と床版２４との間に設けるだけでなく、擁壁１２と床版２４との間に設けてもよい。また、水平移動許容構造２６は、滑り板２６ａ，２６ｂを用いることだけでなく、たとえば、床版２４とブラケット２８との間に３６０°の回転が可能なローラを介在させても同じ効果が得られる。
【００４５】
さて、以上のように構成した側圧力低減方法によれば、構造物１１が盛土構造物１０から所定の空間部２０を設けて離間構築だけなので、施工管理が難しくなることがなく、盛土構造物１０側からの側圧が構造物１１側に伝達されることがない。
【００４６】
このため、構造物１１の耐力は、側圧に対抗させる必要がなくなり、過大設計を回避して、経済的に設計することができる。
【００４７】
また、本発明では、構造物１１と床版２４との間に、水平移動許容構造２６を介在させて、空間部２０を覆う床版２４を渡設しているので、地震時などに発生する水平力が、盛土構造物１０から構造物１１側に伝達されることもない。
【００４８】
なお、上記実施例では、擁壁１２を所定の傾斜角度で形成する場合を示したが、本発明の実施は、これに限定されることはなく、擁壁１２を鉛直状態に形成してもよい。
【００４９】
また、タイロッドアンカー１４のネジロッド１４ａは、端部のみにネジが設けられた鋼棒や鋼線などであってもよく、これらの部材に永久アンカーの仕様に応じた防錆処理を施すと、アンカー力を長期に亙って確保することができる。
【００５０】
さらに、擁壁１２内には、自立性が確保されるあれば、必ずしもタイロッドアンカー１４を設ける必要もない。
【００５１】
【発明の効果】
以上、詳細に説明したように、本発明にかかる盛土構造物に隣接構築される構造物の側圧低減方法によれば、盛土構造物と構造物との間に空間部を設けているので、構造物に側圧が作用せず、適正な設計が可能になり、経済性も向上する。
【００５２】
また、盛土構造物の天端と構造物との間のいずれか一方に、水平移動許容構造を介在させて、空間部を覆う床版を渡設しているので、床版上を通路などに利用できるとともに、地震時などに発生する水平力が、盛土構造物から構造物側に伝達されることもない。
【図面の簡単な説明】
【図１】本発明にかかる盛土構造物に隣接構築される構造物の側圧低減方法の一実施例を示す断面説明図である。
【図２】従来の盛土構造物に隣接構築される構造物の側圧低減方法の一例を示す説明図である。
【符号の説明】
１０            盛土構造物
１１            構造物（橋台）
１２              擁壁
１２ａ            プレキャストパネル
１２ｂ            挿通孔
１４              タイロッドアンカー
１６              盛土層
１８              網目状補強材
２０              空間部
２４              床版
２６              水平移動許容構造
２８              ブラケット
【図１】
0003921798.tif 000002
【図２】
0003921798.tif 000003